Podtech/llm-jp-corpus-v4-ja_patent huggingface dataset:
(57)【要約】【課題】壁に傷を付けたり、跡が残らず、取り外しも簡単であり、簡単な構造で、吊す荷物の重さも、複雑な構造を持たないで吸盤に殆どの垂直方向の重みがかかる方式よりも重い物を吊す事が出来、吸盤を取り付ける面も小さくて済む、壁に取り付けて荷物を吊す器具を提供する。【解決手段】スポンジ１の摩擦力を利用して支点とし、吸盤２の垂直方向の重みに逆らう力と、フック３に吊す荷物４の重みを利用して土台５で荷物４の垂直方向の重みを水平方向に変換し、スポンジ１を壁６に押しつける力を発生させ摩擦力が増し、それにより吸盤２に引く力が発生し吸着力が増し、全体として壁６に固定され、荷物４の重みで落ちないようにする。又、スポンジ１を支点に使用しているので、多少の水分が支点と壁６の間に入っても水膜が出来ない為、摩擦力が保たれる。【選択図】　図３
2004003668.tif 000002
【特許請求の範囲】
【請求項１】
スポンジの摩擦力を利用してスポンジ部を支点とし、吸盤の垂直方向の重みに逆らう力と吊す荷物の重みを利用してスポンジ部に壁へ押しつける力を発生させ、それにより支点の摩擦力は増して壁に固定され、吸盤にかかる力は殆どが水平方向の引く力となり吸盤の吸着力が増し、全体として壁に固定され、荷物の重みで落ちないようにした、壁に取り付けて荷物を吊す器具。
【発明の詳細な説明】
【０００１】
【発明の属する技術分野】
本発明は、スポンジの摩擦力を利用してスポンジ部を支点とし、吸盤の垂直方向の重みに逆らう力と吊す荷物の重みを利用してスポンジ部に壁へ押しつける力を発生させ、それにより支点の摩擦力は増して壁に固定され、吸盤にかかる力は殆どが水平方向の引く力となり吸着面内の気圧が減少することで吸盤の吸着力が増し、全体として壁に固定され、荷物の重みで落ちないようにした、壁に取り付けて荷物を吊す器具である。
【０００２】
【従来の技術】
従来の、壁に取り付けて荷物を吊す器具は、釘等で壁に固定する方式の物は壁に傷を付けてしまう。接着物で壁に固定する方式の物は取り外しが困難であり、壁に跡が残るものである。
それらの問題を持たない方式として吸盤を利用した方式があるが、従来の、吸盤を利用した壁に取り付けて荷物を吊す器具は、吸盤に全ての垂直方向の重みがかかる方式であるか、或いは別に支点がある場合もその支点は垂直方向の重みに十分に耐えられる物でなく、吸盤に殆どの垂直方向の重みが掛かり、吸盤が偏変形して外れたり、滑りやすくなる。又、吸着力を増す為には、吸着面内の気圧を下げる為に複雑な構造を要したり、吸盤の吸着面積を増やす為に吸盤の大きさを大きくしなければならないので、取り付ける面も空気が漏れないような面で大きくなければならない。
【０００３】
【発明が解決しようとする課題】
壁に傷を付けたり、跡が残らず、取り外しも簡単であり、簡単な構造で、吊す荷物の重さも、複雑な構造を持たないで吸盤に殆どの垂直方向の重みがかかる方式よりも重い物を吊す事が出来、吸盤を取り付ける面も小さくて済む、壁に取り付けて荷物を吊す器具を提供する。
【０００４】
【発明が解決するための手段】
壁に傷を付けたり、跡が残らない様に吸盤で壁に取り付け、スポンジの摩擦力を利用してスポンジ部を支点とし、吸盤の垂直方向の重みに逆らう力と吊す荷物の重みを利用してスポンジ部に壁へ押しつける力を発生させ、それにより支点の摩擦力は増して壁に固定され、吸盤にかかる力は殆どが水平方向の引く力となり吸着面内の気圧が減少することで吸盤の吸着力が増し、全体として壁に固定される。こうする事で、吸盤に殆どの垂直方向の重みがかかる方式に比べて、同じ吸盤であればより重い物を吊す事が出来るので、耐荷重を同じにすれば、より吸盤の大きさを小さくできる。又、スポンジを支点に使用している理由は、多少の水分が支点と壁の間に入っても水膜が出来ない為、摩擦力が保たれるためである。
【０００５】
【発明の実施の形態】
本発明は、図面を用いて説明すると、スポンジ１の摩擦力を利用して支点とし、吸盤２の垂直方向の重みに逆らう力と、フック３に吊す荷物４の重みを利用して土台５で荷物４の垂直方向の重みを水平方向に変換し、スポンジ１を壁６に押しつける力を発生させ支点の摩擦力が増して、それにより吸盤２に水平方向の引く力を発生させ吸着力が増し、全体として壁６に固定され、荷物４の重みで落ちないようにした、壁６に取り付けて荷物４を吊す器具である。
【０００６】
【発明の効果】
このようにすれば、壁に傷を付けたり、跡が残らず、取り外しも簡単であり、簡単な構造で、吊す荷物の重さも、複雑な構造を持たないで吸盤に殆どの垂直方向の重みがかかる方式よりも、同じ吸盤であれば重い物を吊す事が出来、耐荷重を同じにすれば、より吸盤の大きさを小さくできるので、吸盤を取り付ける面も小さくて済む様になる。又、スポンジを支点に使用しているので、多少の水分が支点と壁の間に入っても水膜が出来ない為、摩擦力が保たれる。
【図面の簡単な説明】
【図１】吸盤とスポンジとフックと土台を組み合わせた物の正面図である。
【図２】吸盤とスポンジとフックと土台を組み合わせた物の背面図である。
【図３】吸盤とスポンジとフックと土台を組み合わせて壁に取り付け荷物をかけた物の側面図である。
【符号の説明】
１　スポンジ
２　吸盤
３　フック
４　荷物
５　土台
６　壁
【図１】
2004003668.tif 000003
【図２】
2004003668.tif 000004
【図３】
2004003668.tif 000005
(57)【要約】【課題】本発明は、２００〜２８０ｎｍ（ナノメートル）の紫外線で殺菌する殺菌灯をこたつ本体の内部を設けることによって、短時間で強力な殺菌機能を発揮するようにした新規のこたつを提供することを目的とする。【解決手段】こたつ本体１の内部に、細菌類に強い殺菌力を発揮する２００〜２８０ｎｍ（ナノメートル）の紫外線を放射する殺菌灯２を、当該殺菌灯２が同内部を効率よく照射して殺菌する状態および人の肌に直接当たらない向きで放射する状態として取付けたものであって、布団３を掛けてあるものである。【選択図】　　　　図１
2004003690.tif 000002
【特許請求の範囲】
【請求項１】
こたつ本体の内部を殺菌する殺菌灯を備えて成ることを特徴とするこたつ。
【発明の詳細な説明】
【０００１】
【発明が属する技術分野】
本発明は、やぐら型こたつ、座卓型こたつ等こたつに関するものである。
【０００２】
【従来の技術】
そもそも、こたつの中は、菌の生息条件がよいところである。このことは広く知られているのにこれについての対策は従前ほとんどなされていなく、殺菌灯を利用した構成のこたつも見当たらない。
【０００３】
【発明が解決しようとする課題】
本発明は、上記のような現状に鑑み、殺菌機能を具備した新規のこたつを提供することを目的とする。
【０００４】
【課題を解決するための手段】
上記目的を達成するために本発明に係るこたつは、こたつ本体の内部を殺菌する殺菌灯を備えたものである。
【０００５】
【実施例】
図に示す実施例は、こたつ本体１の内部に２００〜２８０ｎｍ（ナノメートル）の紫外線を放射する殺菌灯２を、当該殺菌灯２が同内部を効率よく照射殺菌する状態の配置で装備したものである。図中符号３は布団、４はヒーター、トップ板５を示すものである。
【０００６】
なお、殺菌灯２から放射される紫外線は、人の肌に直接当たることは絶対に好ましくないので、人の入っていないときに照射するようにしたり、人の肌に直接当たらない向きで放射される状態で取付けたりする構造として、本発明は実施されている。
【０００７】
【作用】
殺菌灯２から放射される紫外線は、細菌類に強い殺菌力を発揮し、ほぼ１分間の照射で９９．９％の殺菌ができ、あらゆる菌に対して短時間に強力な殺菌力を発揮するものである。
【０００８】
【発明の効果】
本発明に係るこたつは、こたつ本体の内部を殺菌する殺菌灯を備えて成るので、当該殺菌灯の殺菌作用によって同内部の雑菌が短時間で強力に殺菌されるものであって、新規のこたつを提供するという所期の目的を完全に達成する著効を奏するものである。
【図面の簡単な説明】
【図１】本発明の実施例を示す一部切截斜視図である。
【符号の説明】
１　こたつ本体
２　殺菌灯
３　布団
４　ヒーター
５　トップ板
【図１】
2004003690.tif 000003
(57)【要約】　　　（修正有）【課題】管路内に流量検出器を組み込んだバルブを挿入し、流路の閉止機能と共に、開路時には流量情報を読み取れるようにするバルブを提供する。【解決手段】流量ゲージが組み込まれたボールバルブに関し、ボール８は較正（キャリブレート）された貫通孔を備え、この貫通孔はボール内を通過する流体の流路の絞り部を構成する。また、前記バルブはボールの前後にそれぞれ２つの圧力取入部９，１０を有し、通過する流体の流量を計測するようになっている。【選択図】　　　図１
2004003647.tif 000002
【特許請求の範囲】
【請求項１】
ボールに直接組み込まれてなる流量ゲージを有するボールバルブ（１）であって、
規定（キャリブレート）された貫通孔（８）を有するボール（４）を有し、
前記貫通孔は前記ボール（４）を通過する流体の流路を絞るものである。
【請求項２】
請求項１記載のボールバルブにおいて、
前記バルブ（１）は、フランジ（２、３）及びタイロッド（６）を有し、このバルブを分解し、異なる規定（キャリブレート）の貫通孔（８）を有する他のボールで前記ボール（４）と取り替えることができるようになっていることを特徴とするボールバルブ。
【請求項３】
請求項１記載のボールバルブにおいて、
前記ボールの前後に配置された２つの圧力取入部（９、１０）を有し、前記バルブ（１）を通過する液体の流量を測定するようになっていることを特徴とするボールバルブ。
【請求項４】
請求項３記載のボールバルブにおいて、
前記２つの圧力取入部（９）及び（１０）は、異なる流体力学及び熱力学の特性を有する異なる流体の流量を測定することを可能にする目的で前記バルブ（１）を分解した後に回転させることができものであることを特徴とするボールバルブ。
【発明の詳細な説明】
【０００１】
【発明の属する技術分野】
本発明は、流量検出器及びゲージを一体化したボールバルブに関するものであり、流量情報をバルブの外部から読み取ることができ、また、操作面及び／又は安全面の条件と関連させてバルブ操作用の部品をセットアップすることができるものに関する。
【０００２】
【従来の技術】
停止弁、特にボールバルブ内の流体の流量を読み取ることを可能にするための課題は従来周知である。この情報をバルブの外側に所定の機器を取り付けて取得する方法があるが、この方法では、バルブとそれらの機器との間に複雑な接続が必要となるため、このバルブを特定の使用状況下では使用できないという問題が生じる。さらに、このような方法では、流体の種類及び特定の使用目的毎に必要な流体の量に関して、各バルブの流量表示がバルブを通過する流体に依存する専用の計測手段に委ねられてしまうという不都合がある。
【０００３】
バルブ内の流量を表示する他の方法として、例えば特許文献１に開示された解決方法が提案されている。しかし、この方法によれば、計測機器の形態によって流量の変化が生じてしまうため、計測自体が不正確になる。
【０００４】
【特許文献１】
欧州特許第０６７１５７８号明細書
【課題を解決するための手段】
本発明は上記課題を解決し、常に正確な計測を行え、流体の流量に影響を与えないバルブ構造を有し、更に、流体の種類及びそれによりバルブに働く負荷に応じた要求に応えることが容易に行なえるバルブを提供することを目的とする。
【０００５】
本発明のこのような目的は、添付の図面を参照することによってより明確に理解される。
【０００６】
【発明の実施の形態】
図１はボールバルブを示す全体に示すものである。このバルブは、２つの外部フランジ２、３をそれぞれ有し、合成環状シール５によって所定の位置に配置されているボール４を必要に応じ取り外して取り替えることができる。このようなバルブは周知のタイプであり、タイロッド６を備え、容易かつ安全に取外し及び再度の取付けをすることができるものである。
【０００７】
本発明によると、バルブ１はボール４を有し、ピン７によって操作される。絞り８が、ボール４内に設けられており、この絞り８の大きさは、前記ボール４を穿孔し隔壁（仕切り）１１を形成することに定められている。なお、前記穿孔はバルブの軸に対して平行に行なわれる。このような方法によって、貫通孔８は正確に較正（キャリブレート）され、バルブ内を通過する流体の流路に対してキャリブレートされた絞り部を得ることができる。これによって、流体が流れる方向に関してキャリブレートされてなる絞り部の入口と出口との間の割当て差圧値を予め決定することが可能になる。
【０００８】
加えて、ボールの前後には、２つの圧力取入部９、１０がそれぞれ２つの外部フランジに配置されている。これらの取入部は、流体の流れとの関係でキャリブレートされた閉塞部の入口と出口における圧力を計測することができ、これに基づいて変換器（トランスダクション）によって流量を決定することができる。前記圧力取入部９及び１０は、バルブのタイロッド６とシメントリーの関係で組み合わされており、流体の流れパラメータ及び流量の計測をする流体の種類に応じて、軸回りに回転させることができるようになっている。同様に、一対のフランジがあるため、流体の特性、熱力学、及び流体力学の特性に応じて、ボール４を、キャリブレートされた貫通孔８のサイズが異なる別のボールと取り替えることができる。
【０００９】
したがって、この発明によれば、このバルブは変換器に接続されることで、適切に測定した流量情報を読み取り送信することができ、同様に、アクチュエータをバルブのピン７に直接連結することで、計測された流量情報に基づく遠隔操作を可能としこれによって、要求に応じた開閉が可能となる。
【図面の簡単な説明】
【図１】図１は本発明におけるボールバルブの横断面図である。
【図２】図２はバルブのボールの詳細である。
【図３】図３はボールバルブに適用された圧力取入部の詳細を示す横断面図である。
【図１】
2004003647.tif 000003
【図２】
2004003647.tif 000004
【図３】
2004003647.tif 000005
(57)【要約】【課題】滑りにくく、意匠性が向上し、排水性能が向上する浴室の洗い場面構造の提供。【解決手段】浴室の洗い場面１を、大きさの異なる正方形ブロック面２，３と、長方形ブロック面４と、排水溝５で構成する。【選択図】　　　　　　　図１
2004003136.tif 000002
【特許請求の範囲】
【請求項１】
浴室の洗い場面を、大きさの異なる少なくとも正方形，長方形のブロック面と、排水溝で構成したことを特徴とする浴室の洗い場面構造。
【請求項２】
前記ブロック面をランダムに並べて、前記排水溝が一直線につながらないように構成したことを特徴とする請求項１に記載の浴室の洗い場面構造。
【請求項３】
前記排水溝は、その幅，深さ，アールを一定としたことを特徴とする請求項１または請求項２に記載の浴室の洗い場面構造。
【発明の詳細な説明】
【０００１】
【発明の属する技術分野】
この発明は、浴室の洗い場面の構造に関するものである。
【０００２】
【従来の技術及び発明が解決しようとする課題】
従来、浴室の洗い場面は、規則正しい意匠面と目地で構成されている場合が多く、洗い場で使用した水がうまく排水されずに、洗い場に水溜りができて、乾燥するのに時間がかかってしまうという問題点があり、また意匠性に乏しかったり、滑り易い場合があるという問題点があった。
【０００３】
【課題を解決するための手段】
本発明は、上記従来の問題点に鑑み案出したものであって、排水性能が向上し、滑りにくく、且つ意匠性が向上する浴室の洗い場面構造を提供せんことを目的とし、その第１の要旨は、浴室の洗い場面を、大きさの異なる少なくとも正方形，長方形のブロック面と、排水溝で構成したことである。
また、第２の要旨は、前記ブロック面をランダムに並べて、前記排水溝が一直線につながらないように構成したことである。
また、第３の要旨は、前記排水溝は、その幅，深さ，アールを一定としたことである。
【０００４】
【発明の実施の形態】
以下、本発明の実施例を図面に基づいて説明する。
図１は、浴室の洗い場面の一部を拡大して示す平面構成図であり、洗い場面１は、大きな正方形状を成す大正方形ブロック面２，２，２と、小さな正方形状を成す小正方形ブロック面３，３，３と、長方形状を成す長方形ブロック面４，４，４がランダムに配列され、各ブロック面２，３，４間には、それぞれ排水溝５，５，５が凹み状に形成されて、この排水溝５，５，５は、一直線につながらないように構成されている。
【０００５】
また、排水溝５は、図２に断面拡大構成図で示すように、その溝幅ａと溝深さｂが同一寸法に設定されており、また、ブロック面２と排水溝５の上端間は、Ｒ１の半径でアール状に形成されており、排水溝５の底部もＲ１と同一のＲ２の半径でアール状に形成されている。
【０００６】
このように、本例の洗い場面１においては、大きさの異なる大正方形ブロック面２，２，２と、小正方形ブロック面３，３，３と、長方形ブロック面４，４，４をランダムに並べて構成されているため、洗い場面１に表情が出て、例えば、従来の単一な格子状の洗い場面と比べて、斬新な意匠性が得られ、洗い場面１の意匠性が向上するものとなる。
しかも、大きさの異なるブロック面２，３，４で構成されているため、滑り抵抗が増大して滑りにくい面状となり、安全な洗い場面１を構成することができるものとなる。
【０００７】
また、各排水溝５が一直線につながらないように各ブロック面２，３，４が配列されているため、洗い場面１で使用した水が上手く排水口に向かって流されて、良好に排水されるものとなる。即ち、直線的に排水溝５がつながっている場合には、排水口に近い水が先に排水口内に流れ込んで、排水溝内で水が切れてしまい、表面張力により水が洗い場面上に残り、水溜りができ易かったが、排水溝５が一直線にはつながっていないために、排水される水が途中で切れることがなく、良好に排水口側に水が引っ張られて排水されるため、洗い場面１に水溜まりができにくくなり、そのため洗い場面１の乾燥に時間がかからないものとなる。
しかも、本例では排水溝５は、その幅，深さ，アールを一定としてあるために、水が途切れにくく、より良好な排水性能が確保されるものとなる。
【０００８】
なお、図１は一例であって、大きさの異なる少なくとも正方形，長方形のブロック面をランダムに配置させることにより、滑りにくくなり、良好な意匠性、及び排水性能が確保できるものとなる。
【０００９】
【発明の効果】
本発明は、浴室の洗い場面を、大きさの異なる少なくとも正方形，長方形のブロック面と、排水溝で構成したことにより、意匠性が向上し、滑り抵抗が増して滑りにくくなり、より安全な洗い場面となる効果を有する。
【００１０】
また、ブロック面をランダムに並べて、排水溝が一直線につながらないように構成したことにより、水が切れることなく良好に排水口側に引っ張られて排水されるため、洗い場面に水溜まりができにくくなり、排水性能が向上されるものとなる。
【００１１】
また、排水溝は、その幅，深さ，アールを一定としたことにより、水が途切れにくくなり、排水性能が向上される効果を有する。
【図面の簡単な説明】
【図１】洗い場面の一部を拡大して示す平面構成図である。
【図２】図１の一部の断面拡大構成図である。
【符号の説明】
１　洗い場面
２　大正方形ブロック面
３　小正方形ブロック面
４　長方形ブロック面
５　排水溝
ａ　排水溝幅
ｂ　排水溝深さ
Ｒ１　ブロック面と排水溝上端をつなぐアール
Ｒ２　排水溝底部のアール
【図１】
2004003136.tif 000003
【図２】
2004003136.tif 000004
(57)【要約】【課題】遠隔点に存在するセンサに印加される電圧を、線路の抵抗に関わり無く検出端子側で正確に検出すること。【解決手段】半導体物質３の電圧、または抵抗を検出する基準抵抗６に接続されているスイッチ５をオフとして線路１本分の電圧降下を含む電圧を検出し、ヒータ２に接続する線路Ｌ１、Ｌ２間の電圧との演算により線路抵抗Ｒ１〜Ｒ３による電圧降下分を相殺した電圧データを得る。【選択図】　　　　図１
2004003903.tif 000002
【特許請求の範囲】
【請求項１】
ガスに感応する半導体物質をヒータにより加熱する半導体ガスセンサと、前記ヒータに線路を介して定電流を供給する定電流電源手段と、前記半導体物質の抵抗、または電圧を、基準抵抗の電圧信号として線路を介して検出する測定手段とを備えたガス濃度測定装置において、
前記基準抵抗が、前記半導体ガスセンサの端子電圧を測定する場合にオフとなるスイッチを介して接続されているガス濃度測定装置。
【発明の詳細な説明】
【０００１】
【発明の属する技術分野】
本発明は、遠隔地に配置されたガスセンサからの電圧信号を有線により伝送してガスの濃度を検出するガス濃度測定装置におけるガスセンサの端子電圧を検出端子側で測定する技術に関する。
【０００２】
【従来の技術】
例えば、化学プラントなどでは原料の漏洩を早期に検出するため、ガス検出手段を設備ごとに配置してケーブルにより中央監視所に電圧信号を伝送するように監視システムが構築されている。
【０００３】
このようなガス検出手段は、通常、ガスに感応する半導体物質を加熱手段により加熱し、ガス感応時の半導体物質の抵抗を基準抵抗との分圧として検出するように回路構成されて使用される。
【０００４】
【発明が解決しようとする課題】
しかしながら、ガス検出点と中央監視所とは、長い場合にはキロメートルオーダのケーブルにより接続され、かつその長さが不定であるため、ケーブルの線路抵抗に起因した誤差が測定結果に含まれるという問題がある。
本発明はこのような問題に鑑みてなされたものであって、その目的とするところは、ガス検出点と中央監視所とを接続するケーブルの線路抵抗にかかわりなく、ガスセンサに印加される端子電圧を中央監視所から測定することができるガス検出装置を提供することである。
【０００５】
【課題を解決するための手段】
このような問題を解消するために本発明においては、ガスに感応する半導体物質をヒータにより加熱する半導体ガスセンサと、前記ヒータに線路を介して定電流を供給する定電流電源手段と、前記半導体物質の抵抗、または電圧を、基準抵抗の電圧信号として線路を介して検出する測定手段とを備えたガス濃度測定装置において、前記基準抵抗が、前記半導体ガスセンサの端子電圧を測定する場合にオフとなるスイッチを介して接続されている。
【０００６】
【作用】
半導体ガスセンサの端子電圧を測定する場合には、スイッチをオフとして線路１本分の電圧降下を含む電圧を検出し、ヒータに接続する線路間の電圧との演算により線路抵抗による電圧降下を相殺した電圧データを得る。
【０００７】
【発明の実施の態様】
そこで以下に本発明の詳細を図示した実施例に基づいて説明する。
図１は、本発明の一実施例を示すものであって、ガス検出手段を構成する半導体ガスセンサ１は、ヒータ２と、これとは電気的に分離され、かつ熱伝導関係を形成するようにガス感応半導体物質３を配置して構成されている。
ガスセンサ１は、そのヒータ２をケーブルを構成する線路Ｌ１、Ｌ２を介して中央監視所の端子Ｔ１、Ｔ２に、また半導体物質３は一端をヒータ２に接続され、他端を線路Ｌ３を介して端子Ｔ３に延長されている。
【０００８】
端子Ｔ１、Ｔ２には定電流電源回路４が接続されていて、半導体ガスセンサ１のヒータ２に所定電流、例えば１００ｍＡの電流が供給されている。
また端子Ｔ３には常時オン状態を維持するスイッチ５を介して接地された基準抵抗６が接続され、基準抵抗６の電圧信号が演算増幅器７を介して測定手段８に入力されている。測定手段８は、アナログーデジタル変換手段９、ガス濃度演算手段１０、表示部１１により構成され、半導体物質３の抵抗値を電圧信号として検出し、ガス濃度を表示部１１により表示するように構成されている。
【０００９】
この実施例において、被検ガスが半導体ガスセンサ１に流れ込むと、半導体物質３の抵抗値Ｒｘがガス濃度に対応して変化する。この抵抗Ｒｘは、ヒータ２と半導体物質３との接続点Ａから端子Ｃ３までの抵抗として測定手段８により検出される。つまり半導体物質３と直列に接続された基準抵抗６の電圧をアナログーデジタル変換器９から得て、ガス濃度演算手段１０に予め格納されている校正データに基づいてガス濃度を算出して表示部１１に表示する。
【００１０】
このように分圧により半導体ガスセンサ１の信号電圧を検出する関係上、半導体ガスセンサ１に印加されている電圧Ｖ、つまりＡ点とＢ点との間の電圧を検出する必要があるが、各線路Ｌ１〜Ｌ３は、それぞれ線路抵抗Ｒ１〜Ｒ３が存在するため、端子Ｔ１、Ｔ２の電圧は、負荷電流と線路抵抗Ｒ１、Ｒ２（長さ２０００ｍの場合には略２０Ω程度）とによる電圧降下分ΔＶを含む。
【００１１】
半導体ガスセンサ１に印加される電圧Ｖを測定する場合には、スイッチ５をオフとして接続点Ａと端子Ｔ３との間に電流が流れない状態として端子Ｔ１と端子Ｔ３との電圧を高入力インピーダンス電圧測定手段により測定すると、半導体物質３の抵抗（通常、２００ＫΩ程度）や線路抵抗Ｒ３に関わり無く、端子Ｔ１とＡ点と間の電圧Ｖ１、つまり線路抵抗Ｒ２による電圧降下分ΔＶ１だけを含んだ電圧を測定できる。
【００１２】
また、端子Ｔ１と端子Ｔ２との電圧Ｖ２を測定することにより、線路抵抗Ｒ１とＲ２とによる電圧降下ΔＶ２を含んだ電圧を測定することができる。
【００１３】
ところで、線路Ｌ１乃至Ｌ３は通常同一規格のものが用いられ、かつ長さも同一であり、またヒータ２の抵抗も一定であるから、これら電圧Ｖ１とＶ２との差分Ｖ１−Ｖ２は、線路Ｌ１、Ｌ２それぞれ１本分の電圧降下を示すことになる。
【００１４】
したがって、端子Ｔ１と端子Ｔ２との間の電圧Ｖ２から上記差分の２倍の電圧（Ｖ１−Ｖ２）×２を差し引くか、または端子Ｔ１と端子Ｔ３との間の電圧Ｖ１から上記差分（Ｖ１−Ｖ２）を差し引くことにより、半導体ガスセンサ１の端子電圧Ｖを正確に知ることができる。
【００１５】
なお、上述に実施例においては、スイッチ５としてメカニカルスイッチを使用した場合について説明したが、半導体スイッチを使用しても同様の作用を奏する。
すなわち、半導体スイッチは、そのオフ時のインピーダンスは、半導体物質３や線路抵抗に対して極めて高い値を有するから、実質的に完全なオフ状態とみなすことができる。
【００１６】
【発明の効果】
以上、説明したように本発明によれば、半導体ガスセンサの端子電圧を測定する場合には、スイッチをオフとして線路１本分の電圧降下を含む電圧が検出できるから、ヒータに接続する線路間の電圧との演算により線路抵抗による電圧降下が相殺可能となり、遠隔地点のセンサに印加されている電圧を正確に測定することができる。
【図面の簡単な説明】
【図１】本発明の一実施例を示すブロック図である。
【符号の説明】
１　半導体ガスセンサ
２　ヒータ
３　半導体物質
５　スイッチ
６　基準抵抗
８　測定手段
【図１】
2004003903.tif 000003
(57)【要約】【課題】着替えをさせにくい夜中や、病気で寝た状態のための、袖に腕を通さずに着られる上着を提供する。【解決手段】袖の脇の部分を縫ってないデザインにし、肩の線を中心に開いて上に前身ごろ、下に後ろ身ごろを置く。その後ろ身ごろの上に、着替える人を寝かし、上の前身ごろを下にある後ろ身ごろに合わせるようにもってくる。両脇の内側に縫ってある面ファスナー、またはホックなどの止め具にて、脇を合わせてとめ、服の前も同様にとめることを特徴とする。【選択図】　図１
2004003067.tif 000002
【特許請求の範囲】
【請求項１】
袖の脇の部分が、縫ってない上着において、肩の線を中心とし、前身ごろを上に、後ろ身ごろを下に置き、前身ごろの左脇（１）を、後ろ身ごろの左脇（２）に位置させ、面ファスナー雄片、または、ホックなどの止め具（３）と、面ファスナー雌片、または、ホックなどの止め具（４）を、着脱自在とし、同様に前身ごろ右脇（５）を、後ろ身ごろ右脇（６）に位置させ、面ファスナー雄片、または、ホックなどの止め具（７）と、面ファスナー雌片、または、ホックなどの止め具（８）を着脱自在とし、服の前をとめるために、面ファスナー雌片、またはホックなどの止め具（９）と、面ファスナー雄片、または、ホックなどの止め具（１０）をとめる。以上の構成からなる、袖に腕を通さなくても着替えが出来る上着。
【発明の詳細な説明】
【０００１】
【発明の属する技術分野】
この発明は、着替えをさせにくい夜中や、病気で寝た状態の方のための、袖に腕を通さずに着られる上着に関するものである。
【０００２】
【従来の技術】
従来、子供が夜中に寝汗のため着替えをさせようとして、袖から腕を取ったり、通したりしていると、嫌がって泣くことが多かった。
【０００３】
【発明が解決しようとする課題】
これには次のような欠点があった。
（イ）夜中に、子供の寝汗がひどい時、着替えをさせると泣かれることが多くストレスを感じるため、仕方なく、背中にガーゼを入れていた。
（ロ）病院へ重い病気の人をお見舞いに行ったら、汗臭く、湿っぽい浴衣のよう　　　な寝巻きのままベッドで横になっていた。
本発明は、以上のような欠点を解決するためのものである。
【０００４】
【課題を解決するための手段】
袖の脇の部分が、縫ってない上着において、肩の線を中心とし、前身ごろを上に、後ろ身ごろを下に置き、前身ごろの左脇（１）を、後ろ身ごろの左脇（２）に位置させ、面ファスナー雄片、または、ホックなどの止め具（３）と、面ファスナー雌片、または、ホックなどの止め具（４）を、着脱自在とし、同様に前身ごろ右脇（５）を、後ろ身ごろ右脇（６）に位置させ、面ファスナー雄片、または、ホックなどの止め具（７）と、面ファスナー雌片、または、ホックなどの止め具（８）を着脱自在とし、服の前をとめるために、面ファスナー雌片、またはホックなどの止め具（９）と、面ファスナー雄片、または、ホックなどの止め具（１０）をとめる。以上の構成からなる、袖に腕を通さなくても着替えが出来る上着。
【０００５】
【発明の実施の形態】
以下、本発明の実施の形態について説明する。
（イ）袖の部分を、縫わないデザインのため、肩の線を中心に開いて、上に前身ごろを置き、後ろ身ごろは下に置く。着替える人の背中を、後ろ身ごろの上に置いて寝かせ、首のところより上に頭をおく。
（ロ）前身ごろ左脇（１）を後ろ身ごろの左脇（２）にもってくる。次に、面ファスナー雄片、または止め具（３）と、面ファスナー雌片、またはホックなどの止め具（４）を合わせて脇をしめる。
（ハ）同様に、前身ごろ右脇（５）を、後ろ身ごろの右脇（６）にもってくる。そして、面ファスナー雄片、またはホックなどの止め具（７）と、面ファスナー雌片、またはホックなどの止め具（８）を合わせて脇をしめる。
（ニ）服の前をしめるために、面ファスナー雌片、またはホックなどの止め具（９）、面ファスナー雄片、またはホックなどの止め具（１０）を合わせてとめる。
本発明は、以上の構成によりなる、袖に腕を通さなくても着替えができる上着である。
本発明の実施の形態では、上着としてあるが、裾を長くし足の先まで届くようにすると、病院などで、病気が重く、あまり動かせない方のための寝巻きに応用できると考えられる。
また、夜中の着替えの際は、面ファスナーの方が止め具より、早く楽にできる。
【０００６】
【発明の効果】
夜中や、寝た状態での着替えが、する人も、される人も楽になる。
そのため、子供の寝冷えによる風邪などの予防にもなり、また、体温計を脇で測るときにも便利になる。さらに、病気のため、点滴をずっとしている方や、体に管を通している方　の着替えも、従来の上着よりずっと容易になる。
【図面の簡単な説明】
【図１】本発明の正面図である。
【図２】本発明で左側をとめた状態の図である。
【図３】本発明で右側をとめ、最後に前をとめた状態である。
【符号の説明】
１．　　前身ごろの左脇
２．　　後ろ身ごろの左脇
３．　　前身ごろの左脇の面ファスナー雄片、または、止め具
４．　　後ろ身ごろの左脇の面ファスナー雌片、または、止め具
５．　　前身ごろの右脇
６．　　後ろ身ごろの右脇
７．　　前身ごろの右脇の面ファスナー雄片、または、止め具
８．　　後ろ身ごろの右脇の面ファスナー雌片、または、止め具
９．　　服の前をとめる面ファスナー雌片、または、止め具
１０．　服の前をとめる面ファスナー雄片、または、止め具
【図１】
2004003067.tif 000003
【図２】
2004003067.tif 000004
【図３】
2004003067.tif 000005
(57)【要約】【課題】エネルギー源として化石エネルギーを用いているが枯渇と環境汚染、温暖化を招いている、それを解消する手段として無限に存在する海水の利用にて活路を求めねばならない、常に活性化されている水深２００ｍ以内の海水より特殊ネットを用い酵母を採取、これを培養器に送り、培養させ、アルコールを抽出、集約し用途別に分け、無公害エネルギー源に使用するものと、電解槽に送られ水素を生産し、燃料電池エネルギー源とするシステムとし新産業の柱となる燃料電池等に供するものとする。【解決手段】活性化されている水深２００ｍ以内の海水より特殊ネットを用い酵母を採取、これを培養器に送り、培養させ、アルコールを抽出、集約し用途別に分け、無公害エネルギー源に使用するものと、電解槽に送られ水素を生産し、燃料電池エネルギー源とするシステムにて次世代エネルギー源の基幹とされるものである。【選択図】　　図１
2004003029.tif 000002
【特許請求の範囲】
【請求項１】
活性化されている水深２００ｍ以内の海水（１）より特殊ネット（２）を用い酵母（３）を採取、これを培養器（４）に送り、培養させ、アルコール（５）を抽出、集約（６）し用途別に分け、無公害エネルギー源（７）に使用するものと、電解槽（８）に送られ水素（９）を生産し、燃料電池エネルギー源（１０）とするシステム（１１）である。
【発明の詳細な説明】
【０００１】
【発明の属する技術分野】
本発明は活性化されている水深２００ｍ以内の海水より特殊ネットを用い酵母を採取、これを培養器に送り、培養させ、アルコールを抽出、集約し用途別に分け、無公害エネルギー源に使用するものと、電解槽に送られ水素を生産し、燃料電池エネルギー源とするシステムである。
【０００２】
【従来の技術】
海水の比較的浅い層を利用して化石燃料にかわる新エネルギー源を作り出すシステムは無い。
【０００３】
【発明が解決しようとする課題】
１．無限に存在する海水中の酵母を採取する。
２．海水から簡単にアルコールを抽出出来る様にする。
３．アルコールと水素が一緒に出来る様にする。
４．低コスト、大量生産を可能とする。
【０００４】
【課題を解決する為の手段】
イ：酵母採取は特殊ネットを利用する。
ロ：培養促進の培養基を用いる。
ハ：アルコールと水素を作り出す。
ニ：コストは最低限に押え、大量生産とする。
【０００５】
【作用】
活性化されている水深２００ｍ以内の海水より特殊ネットを用い酵母を採取、これを培養器に送り、培養させ、アルコールを抽出、集約し用途別に分け、無公害エネルギー源に使用するものと、電解槽に送られ水素を生産し、燃料電池エネルギー源とするシステムである。
【０００６】
【実施例】
活性化されている水深２００ｍ以内の海水（１）より特殊ネット（２）を用い酵母（３）を採取、これを培養器（４）に送り、培養させ、アルコール（５）を抽出、集約（６）し用途別に分け、無公害エネルギー源（７）に使用するものと、電解槽（８）に送られ水素（９）を生産し、燃料電池エネルギー源（１０）とするシステム（１１）である。
【０００７】
【発明の効果】
無限に存在し常に活性化されている水深２００ｍ以内の海水より特殊ネットを用い酵母を採取、これを培養器に送り、培養させ、アルコールを抽出、集約し用途別に分け、無公害エネルギー源に使用するものと、電解槽に送られ水素を生産し、燃料電池エネルギー源とするシステムにて低コスト、大量生産に適した次世代エネルギー源として最良の方法である。
【図面の簡単な説明】
【図１】本発明の実施例系統図
【符号の説明】
（１）水深２００ｍ以内の海水、
（２）特殊ネット、
（３）酵母、
（４）培養器、
（５）アルコール、
（６）集約、
（７）無公害エネルギー源、
（８）電解槽、
（９）水素、
（１０）燃料電池エネルギー源、
（１１）システム、
【図１】
2004003029.tif 000003
(57)【要約】　　　（修正有）【課題】空気圧を利用して駆動するベーン　ブレード型タービンに比較して、安定した高出力の小型タービンを提供する。【解決手段】ブレード１をブロック化した構造とし、タービン　ブレード１毎にガス突入ポート８を設け、タービン　ブレード１毎にガス排出ポート９をつけ、タービン　ブレード　ケースィング７内のガスの流れを整流し、ブレード面で効率的に溝に流れ込ませ、回転力を上昇させる。タービン　ブレード１を複数組み合わせ出力増加を図る。【選択図】　図３
2004003482.tif 000002
【特許請求の範囲】
【請求項１】
小型タービンの構造の簡素化を計るブレードの形状。
【請求項２】
小型タービン出力増強を計るブレードの組み合わせ。
【発明の詳細な説明】
【０００１】
【発明の属する技術分野】
本発明は、小型タービン用組み合わせブレードに関する。
【０００２】
【従来の技術】
従来、小型タービンはベーン　ブレード型が空気圧を利用して駆動するようになっている。
【０００３】
【発明が解決しようとする課題】
上記のようにシンプルであるが、日常生活では小型タービンで発生する動力をもっと大きくしたい。
【０００４】
【課題を解決するための手段】
上記課題を解決するため本発明は、高出力を得るためブレードをブロック化した構造を特徴とする。
【０００５】
【実施例】
第１図は、タービン　ブレード１の見取図である。この１にはカット面上凹溝ガイド溝Ａ６．ガスガイド溝Ｂ６’を設け、噴出ガスをブレード面で効率的に一部溝に流れ込ませブレードの回転力を上昇させる。
シャフト孔２’はブレード　シャフト２に組み合わせ、ブレード　キー溝４、４’は複数のタービン　ブレード１をシャフト２に出力上昇のため溝位置を交互にキー３’を組み込み、ブレード１の各々流入するガスの流れとの分散を計る。
第２図は、タービン　ブレード１一部断面及び外観を示し、キー溝４、４’を利用し交互に組み合わせてタービン　ブレード１の円弧が互いに凹凸となり、ガスの流れがそれぞれ制約し回転力が増加する。
Ｏリング溝５はタービン　ブレード１を組み合わせる時Ｏリング５’を嵌め、ガス排出ポート以外からガス漏れを防ぎ、出力増加を計る。
第３図は、タービン　ブレード　ケースィング１をブレード　シャフト２にキー３’を嵌め、タービン　ブレード１をキー溝４、４’に利用し交互に組み合わせを示す。
Ｏリング溝５にＯリング５’を嵌め、各々のタービン　ブレード１を接合する。
ガス突入ポート８から高圧ガスを入れ、タービン　ブレード１に回転力を与え、ガス排出ポート９からガスを逃す。
第４図は、タービン　ブレード１を複数組み合わせ出力増加を計る。
【図面の簡単な説明】
【図１】本発明に係わるタービン　ブレードの外観見取図である。
【図２】本発明に係わるタービン　ブレードの断面外観図である。
【図３】本発明に係わる小型タービンの内部機構図である。
【図４】本発明に係わるタービン　ブレードを出力増強のため、複数組み合わせる構想図である。
【符号の説明】
１　タービン　ブレード
２　ブレード　シャフト
２’ブレード　シャフト孔
３　シャフト　キー溝
３’キー
４　ブレード　キー溝Ａ
４’ブレード　キー溝Ｂ
５　Ｏリング溝
５’Ｏリング
６　ガス　ガイド溝Ａ
６’ガス　ガイド溝Ｂ
７　タービン　ブレード　ケースィング
８　ガス突入ポート
９　ガス排出ポート
【図１】
2004003482.tif 000003
【図２】
2004003482.tif 000004
【図３】
2004003482.tif 000005
【図４】
2004003482.tif 000006
(57)【要約】【課題】本発明は、従来の刺す股に捕獲機能を付加し、単独で使用する場合、暴漢の背後に押しつけるための壁等がなくても、捕獲爪の作用で暴漢を刺す股内に捕らえ抵抗、逃走を封じ、逮捕することができる刺す股を提供するものである。【解決手段】いまその解決手段を説明すれば、刺す股（４）　捕獲爪（１）　刺す股開閉滑動子（５）　柄（１１）　滑動子スライドピン（１２）　スライド溝（１３）　刺す股閉塞ワイヤー（１４）　継ぎ柄連結器（１５）　　継ぎ柄（１８）　刺す股開閉手元滑動子（１９）　滑動握り（２０）　滑動子・滑動握り連結ネジ・ピン　（２１）　スライド溝（２２）　滑動握りロックピン穴（２３）　滑動握りロックピン（２４）から構成する。【選択図】図１
2004003715.tif 000002
【特許請求の範囲】
【請求項１】
刺す股（４）　捕獲爪（１）　刺す股開閉滑動子（５）　柄（１１）　滑動子スライドピン（１２）　スライド溝（１３）　刺す股閉塞ワイヤー（１４）　継ぎ柄連結器（１５）　　継ぎ柄（１８）刺す股開閉手元滑動子（１９）　滑動握り（２０）　滑動子・滑動握り連結ネジ・ピン　（２１）　スライド溝（２２）　滑動握りロックピン穴（２３）　滑動握りロックピン（２４）から構成されるされる刺す股。
【発明の詳細な説明】
【０００１】
【発明が属する技術分野】
この発明は、凶器を持って抵抗する暴漢等を捕獲する刺す股に関するものである。
【０００２】
【従来の技術】
凶器をもって抵抗する暴漢等の逮捕には、古来刺す股が活用されており、現代においても有効な逮捕用具とし再認識され警察の逮捕、警備の現場で有効に活用されているが、従来の刺す股は単独で使用する場合には、背後の壁や、塀などがあってそれに押し付けなければ暴漢の動き、特に逃走を防止することができないと言う欠点があった。
【０００３】
【発明が解決しようとする課題】
本発明は、従来の刺す股の欠点を改良し、有効に暴漢の攻撃を防ぐだけでなく、単独で使用する場合、暴漢の背後に押しつけるための壁等がなくても、捕獲爪の作用で暴漢を刺す股内に捕らえ抵抗、逃走を封じ、逮捕することができる刺す股を提供するのである。
【０００４】
【課題を解決するための手段】
いまその解決手段を説明すれば、
刺す股（４）　捕獲爪（１）　刺す股開閉滑動子（５）　柄（１１）　滑動子スライドピン（１２）　スライド溝（１３）　刺す股閉塞ワイヤー（１４）　継ぎ柄連結器（１５）　　継ぎ柄（１８）　刺す股開閉手元滑動子（１９）　滑動握り（２０）　滑動子・滑動握り連結ネジ・ピン　（２１）　スライド溝（２２）　滑動握りロックピン穴（２３）　滑動握りロックピン（２４）から構成する。
【０００５】
【発明の実施の形態】
本件は、以上のような構造であるから、これを使用するときは、スライド握りのロックを外し、左足前の半身の構えで左手で前を右手で後ろのスライド握り付近を持って相手と対峙する。攻撃もしくは逃げようとする相手に刺す股を突き出し、相手が刺す股に嵌ったらスライド握りを引いて刺す股を閉め刺す股内に封じ込め相手の動きを封じ、相手を押し、引き倒し捕獲する。
【０００６】
【発明の効果】
本件刺す股は、捕獲爪を備えているので単独で使用する場合、暴漢の背後に押しつけるための壁等がなくても捕獲することができる。逮捕術等格闘の技術を要せず誰でも簡単にその機能を発揮できる。また、暴漢から見て警備員等がこの刺す股を持っていると襲い難いので、襲撃を断念するすなわち、犯行防止効果が期待できる。また、折れ継ぎ式なので、折りたたんで警備車両等のトランク等入れ、携行できる。
【図面の簡単な説明】
【図１】本発明の使用状態の全体図
【図２】折りたたみ状態を示す。
【図３】一連の使用状態を示す。
【符号の説明】
１　捕獲爪　２　捕獲爪固定ピン３　捕獲爪開きバネ　４　刺す股　５刺す股開閉滑動子　６刺す股開閉アーム固定ピン　７刺す股開閉アーム　８刺す股開きバネ受け　９刺す股開きバネ　１０刺す股固定ピン　　１１柄　１２滑動子スライドピン　１３スライド溝１４刺す股閉塞ワイヤー　１５継ぎ柄連結器　１６継ぎ柄固定ピン　１７継ぎ柄固定ピン穴　１８継ぎ柄　１９刺す股開閉手元滑動子　２０滑動握り　２１滑動子・滑動握り連結ネジ・ピン　２２スライド溝　２３滑動握りロックピン穴　２４滑動握りロックピン・バネ　２５石突き
【図１】
2004003715.tif 000003
【図２】
2004003715.tif 000004
【図３】
2004003715.tif 000005
(57)【要約】【課題】冷蔵庫内に設けられた野菜収納庫に野菜を裸のまま収納したり、ラップに包んで収納したり、購入時に包装されているビニール袋に入った状態で収納することが多く野菜の傷みが早い。野菜を新聞紙に包んだり、合成樹脂製野菜保存袋に入れるのは手間が掛かり、包装の再利用に難点がある。【解決手段】無数の細かい孔（３）を穿ち、蛇腹状に形成された胴体（２）に、折り返し可能な蓋（４）を装着したことを特徴とする野菜保存容器。【選択図】　　図３
2004003781.tif 000002
【特許請求の範囲】
【請求項１】
無数の細かい孔（３）を穿ち、蛇腹状に形成された胴体（２）に、折り返し可能な蓋（４）を装着したことを特徴とする野菜保存容器。
【請求項２】
野菜保存容器（５）の胴体（６）に無数の細かい孔を穿ち、折り返し可能な蓋（８）を装着したことを特徴とする野菜保存容器。
【発明の詳細な説明】
【０００１】
【発明の属する技術分野】
この発明は、冷蔵庫内で野菜を新鮮に保存するための容器に関している。
【０００２】
【従来の技術】
従来、冷蔵庫内に設けられた野菜収納庫に野菜を収納するには、野菜を包まないで裸のまま収納したり、ラップに包んで収納したり、購入時に包装されているビニール袋に入った状態で収納することが多い。野菜の保存方法を知っている人は、野菜を新聞紙に包んで収納している。或いは、合成樹脂製野菜保存袋に入れて収納している。
【０００３】
【発明の解決しようとする課題】
野菜は生物であり、呼吸している。そのため、野菜に細く長く呼吸させる状態を保たせると、野菜の鮮度が長持ちし、栄養価の高い野菜を摂取できることが知られている。昔からの知恵として、新聞紙に野菜をくるむ方法は、酸素の供給を新聞紙の材質の通気性でコントロールするので、野菜の鮮度を長持ちさせる有効手段として利用されている。しかし、毎回、野菜を使用の都度包み直す必要があり、新聞紙も汚れたりしわになって包みにくくなるので能率的でなく、包装された中身が見えない欠点がある。
【０００４】
包装しないで野菜を冷蔵庫内に備えられた野菜収納ケースに入れると、鮮度の落ちるのが早い。店やスーパーマーケット等で販売しているラップ包装やビニール包装の状態で冷蔵庫内で保管すると、野菜に酸素を供給することができないので、野菜は呼吸することができず鮮度が落ち、傷みが早い。
【０００５】
そこで、合成樹脂製保存袋が提供されている。この合成樹脂製保存袋を使用すると、中身が見え、野菜の保存状態も良好に保つことができる。しかし、合成樹脂製保存袋は反復使用するのに適していなく、洗って乾燥させることも難しいので使い捨てとなりやすく、コスト高になる。また、冷蔵庫内に野菜を整理して収納するためには冷蔵庫のサイズに合わせた容器を使用するのが望ましい。
【０００６】
【課題を解決するための手段】
請求項１に記載の野菜保存容器においては、野菜保存容器１の胴体２を蛇腹状に形成している。この胴体２の周囲には容器１に通気性を持たせるため、無数の細かい孔３が開いている。野菜保存容器１の上部には、一辺で折り返せるように形成した蓋４を装着し、上部からの空気の流入を遮断している。
【０００７】
請求項２に記載の野菜保存容器５においては、野菜保存容器５は立方体に形成され、胴体６に無数の細かい孔７が開けられ、野菜保存容器５内に収納した野菜９が呼吸できるようにし、上部には、一辺で折り返せるように形成した蓋８を装着し、上部からの空気の流入を遮断している。
【０００８】
【発明の実施の形態】
本発明の実施例を図面を参照して説明する。
【０００９】
図１は請求項１に記載の野菜保存容器の斜視図である。野菜保存容器１の胴体２は蛇腹状になっているので、伸縮する。このため、野菜のサイズに合わせて胴体２の長さを変えることができるので、余分なスペースを必要としない利点がある。野菜保存容器１の上部には蓋４が装着されている。蓋４は一辺が野菜保存容器１の上端と折り返し可能に接続していて、空気の流入を阻止している。胴体２には細かい孔３が開いているので、野菜９が野菜保存容器１内でかすかに呼吸することができるため、野菜９を新鮮に保存することができる。
【００１０】
図２は請求項１に記載の野菜保存容器１の胴体２を一杯に伸ばした状態を示している。野菜保存容器１の胴体２は蛇腹状になっているため、伸縮自在で一杯に伸ばした際は大根やゴボウのように丈の長い野菜９にも対応できる。野菜保存容器１は常に立てておく必要はなく、冷蔵庫内で寝かせて収納することもできる。野菜保存容器１の材質、形状は限定されず、各種形状が考えられる。
【００１１】
図３は請求項１に記載の野菜保存容器１に野菜９を収納したり、野菜保存容器１から野菜９を取り出す際に、胴体２の蛇腹を一部縮めた状態を示している。蓋４を開けて胴体２の蛇腹を縮めれば、野菜９が露出するので、取り出しが簡単である。野菜保存容器１内に野菜９を整理して配列するため胴体２が縮まれば楽であり、小さい野菜９も、大きい野菜９も一緒に収納することもできる。
【００１２】
図４は請求項２に記載の野菜保存容器５の斜視図である。野菜保存容器５は四角形の立方体に形成されているが、形状は四角形に限らず、円形、楕円形等各種の形状が考えられる。野菜保存容器５の胴体６に無数の細かい孔７が開けられ、野菜保存容器５内に収納した野菜９がかすかに呼吸できるようにしている。野菜保存容器５の上部に折り返せるように接続した蓋８を装着することで上部からの空気の流入を遮断している。
【００１３】
【発明の効果】
野菜を冷蔵庫内で新鮮に保つことができる。
【００１４】
野菜保存容器が伸縮するので、野菜の各種サイズに対応でき、冷蔵庫内のスペースを有効活用できる。
【００１５】
野菜保存容器へ野菜を収納したり、野菜保存容器から野菜を取り出すのが楽である。
【図面の簡単な説明】
【図１】請求項１に記載の野菜保存容器の斜視図である。
【図２】請求項１に記載の野菜保存容器の斜視図である。
【図３】請求項１に記載の野菜保存容器の使用例を示す説明図である。
【図４】請求項２に記載の野菜保存容器５の斜視図である。
【符号の説明】
１、５　　野菜保存容器
２、６　　胴体
３、７　　細かい孔
４、８　　蓋
９　　　　野菜
【図１】
2004003781.tif 000003
【図２】
2004003781.tif 000004
【図３】
2004003781.tif 000005
【図４】
2004003781.tif 000006